(57)【要約】【課題】複数枚の用紙の読み取りが中断した後に読み取りを再実行する場合に、再実行により読み取られた用紙の画像データしか表示されない構成と比較して、中断した読み取りにおいて読み取りが完了していない用紙の読み取りが行われるか否かを把握し易くする。【解決手段】画像処理装置は、用紙に形成された画像を読み取って画像データを生成する画像読取部を備え、複数枚の用紙の読み取りが中断した後、複数枚の用紙の読み取りを再実行する場合に、中断した読み取りにおいて読み取りが完了した最後の用紙について生成済みの第１画像データと、再実行における複数枚の用紙のうち最後の用紙に対応する用紙を新たに読み取って生成された第２画像データとを表示する。【選択図】図３
2018182596.tif 000002
【特許請求の範囲】
【請求項１】
用紙に形成された画像を読み取って画像データを生成する画像読取手段と、
複数枚の用紙の読み取りが中断した後、複数枚の用紙の読み取りを再実行する場合に、中断した読み取りにおいて読み取りが完了した最後の用紙について生成済みの第１画像データと、当該再実行における複数枚の用紙のうち当該最後の用紙に対応する用紙を新たに読み取って生成された第２画像データとを表示する表示手段と
を備える画像処理装置。
【請求項２】
前記表示手段は、複数枚の用紙の読み取りを再実行する場合、中断した読み取りにおいて読み取りが完了した用紙の画像データについて、最初に読み取りが完了した用紙の画像データから前記第１画像データまでを順番に表示すること
を特徴とする請求項１に記載の画像処理装置。
【請求項３】
前記表示手段は、前記第１画像データを表示した後、当該第１画像データと前記第２画像データとを並べた画面を表示すること
を特徴とする請求項２に記載の画像処理装置。
【請求項４】
前記表示手段は、前記第１画像データと前記第２画像データとの差異の程度が予め定められた程度を超える場合に、当該第１画像データと当該第２画像データとを並べた画面を表示すること
を特徴とする請求項１に記載の画像処理装置。
【請求項５】
前記画面は、前記差異の程度が予め定められた程度を超える旨を示すとともに、前記最後の用紙に対応する用紙より後の用紙の読み取りを続行するか否かの選択を受け付けること
を特徴とする請求項４に記載の画像処理装置。
【請求項６】
前記画像読取手段は、前記第１画像データと前記第２画像データとの差異の程度が予め定められた程度を超えない場合に、前記最後の用紙に対応する用紙より後の用紙の読み取りを続行すること
を特徴とする請求項１に記載の画像処理装置。
【請求項７】
前記表示手段は、前記第１画像データと前記第２画像データとの差異の程度が予め定められた程度を超えない場合には、当該第２画像データを表示しないこと
を特徴とする請求項１に記載の画像処理装置。
【請求項８】
用紙に形成された画像を読み取って画像データを生成する画像読取手段と、
用紙を前記画像読取手段に順次搬送する用紙搬送手段と、
前記画像読取手段による読み取りが行われる用紙の枚数をカウントするカウント手段と、
前記画像読取手段により生成された画像データを表示する表示手段と、
複数枚の用紙の読み取りが中断した後、再度複数枚の用紙の読み取りを実行する場合に、前記カウント手段のカウント値に基づき、中断した読み取りにおける読み取りが完了した用紙の枚数に対応する枚数の用紙を前記用紙搬送手段に搬送させ、前記中断した読み取りにおける最後に読み取られた用紙に対応する用紙に形成された画像を前記画像読取手段に読み取らせ、前記中断した読み取りにおける最後に読み取られた用紙から読み取って生成された第１画像データと当該最後に読み取られた用紙に対応する用紙から読み取って生成された第２画像データとを前記表示手段に表示させる制御手段と
を備える画像処理装置。
【請求項９】
前記制御手段は、再度複数枚の用紙の読み取りを実行する場合、前記中断した読み取りにおける最後に読み取られた用紙に対応する用紙より前の用紙については、前記画像読取手段による読み取りが行われないように制御すること
を特徴とする請求項８に記載の画像処理装置。
【請求項１０】
複数枚の用紙の各々に形成された画像を読み取って画像データを生成する画像読取手段と、
複数枚の用紙の読み取りが中断した後、複数枚の用紙の読み取りを再実行する場合に、中断した読み取りにおいて読み取りが完了した用紙のうち最後に読み取られた用紙について生成済みの第１画像データと、中断した読み取りにおいて読み取りが完了した用紙の枚数に対応する枚数を当該再実行における複数枚の用紙の１枚目から順番に数えたときの最後の用紙を新たに読み取って生成された第２画像データとを表示する表示手段と
を備える画像処理装置。
【請求項１１】
コンピュータに、
画像読取手段に対して用紙に形成された画像を読み取って画像データを生成させる機能と、
複数枚の用紙の読み取りが中断した後、複数枚の用紙の読み取りを再実行する場合に、中断した読み取りにおいて読み取りが完了した最後の用紙について生成済みの第１画像データと、当該再実行における複数枚の用紙のうち当該最後の用紙に対応する用紙を新たに読み取って生成された第２画像データとを表示部に表示させるためのデータを出力する機能と
を実現させるためのプログラム。
【発明の詳細な説明】
【技術分野】
【０００１】
本発明は、画像処理装置及びプログラムに関する。
【背景技術】
【０００２】
例えば、特許文献１には、原稿読取部１０２と、画像データを蓄積する蓄積手段１０５と、表示画像生成手段１３７と、表示パネル１３２と、原稿読取部１０２からの画像データの入力状況を、画像データに基づく表示画像を表示パネル１３２上でプレビュー表示案内する操作ユニット側制御部１３１とを具備する操作ユニット１２０を備える画像形成装置１００が開示されている。
【先行技術文献】
【特許文献】
【０００３】
【特許文献１】特開２０１５−２１６６５８号公報
【発明の概要】
【発明が解決しようとする課題】
【０００４】
用紙に形成された画像の読み取りを行う場合に、読み取りが完了した用紙の画像が表示されることがある。しかし、複数枚の用紙の読み取りが中断した後に読み取りを再実行する場合に、再実行により読み取られた用紙の画像しか表示されない構成では、中断した読み取りにおいて読み取りが完了していない用紙の読み取りが行われるか否かを把握するのが難しい。
本発明の目的は、複数枚の用紙の読み取りが中断した後に読み取りを再実行する場合に、再実行により読み取られた用紙の画像データしか表示されない構成と比較して、中断した読み取りにおいて読み取りが完了していない用紙の読み取りが行われるか否かを把握し易くすることにある。
【課題を解決するための手段】
【０００５】
請求項１に記載の発明は、用紙に形成された画像を読み取って画像データを生成する画像読取手段と、複数枚の用紙の読み取りが中断した後、複数枚の用紙の読み取りを再実行する場合に、中断した読み取りにおいて読み取りが完了した最後の用紙について生成済みの第１画像データと、当該再実行における複数枚の用紙のうち当該最後の用紙に対応する用紙を新たに読み取って生成された第２画像データとを表示する表示手段とを備える画像処理装置である。
請求項２に記載の発明は、前記表示手段は、複数枚の用紙の読み取りを再実行する場合、中断した読み取りにおいて読み取りが完了した用紙の画像データについて、最初に読み取りが完了した用紙の画像データから前記第１画像データまでを順番に表示することを特徴とする請求項１に記載の画像処理装置である。
請求項３に記載の発明は、前記表示手段は、前記第１画像データを表示した後、当該第１画像データと前記第２画像データとを並べた画面を表示することを特徴とする請求項２に記載の画像処理装置である。
請求項４に記載の発明は、前記表示手段は、前記第１画像データと前記第２画像データとの差異の程度が予め定められた程度を超える場合に、当該第１画像データと当該第２画像データとを並べた画面を表示することを特徴とする請求項１に記載の画像処理装置である。
請求項５に記載の発明は、前記画面は、前記差異の程度が予め定められた程度を超える旨を示すとともに、前記最後の用紙に対応する用紙より後の用紙の読み取りを続行するか否かの選択を受け付けることを特徴とする請求項４に記載の画像処理装置である。
請求項６に記載の発明は、前記画像読取手段は、前記第１画像データと前記第２画像データとの差異の程度が予め定められた程度を超えない場合に、前記最後の用紙に対応する用紙より後の用紙の読み取りを続行することを特徴とする請求項１に記載の画像処理装置である。
請求項７に記載の発明は、前記表示手段は、前記第１画像データと前記第２画像データとの差異の程度が予め定められた程度を超えない場合には、当該第２画像データを表示しないことを特徴とする請求項１に記載の画像処理装置である。
請求項８に記載の発明は、用紙に形成された画像を読み取って画像データを生成する画像読取手段と、用紙を前記画像読取手段に順次搬送する用紙搬送手段と、前記画像読取手段による読み取りが行われる用紙の枚数をカウントするカウント手段と、前記画像読取手段により生成された画像データを表示する表示手段と、複数枚の用紙の読み取りが中断した後、再度複数枚の用紙の読み取りを実行する場合に、前記カウント手段のカウント値に基づき、中断した読み取りにおける読み取りが完了した用紙の枚数に対応する枚数の用紙を前記用紙搬送手段に搬送させ、前記中断した読み取りにおける最後に読み取られた用紙に対応する用紙に形成された画像を前記画像読取手段に読み取らせ、前記中断した読み取りにおける最後に読み取られた用紙から読み取って生成された第１画像データと当該最後に読み取られた用紙に対応する用紙から読み取って生成された第２画像データとを前記表示手段に表示させる制御手段とを備える画像処理装置である。
請求項９に記載の発明は、前記制御手段は、再度複数枚の用紙の読み取りを実行する場合、前記中断した読み取りにおける最後に読み取られた用紙に対応する用紙より前の用紙については、前記画像読取手段による読み取りが行われないように制御することを特徴とする請求項８に記載の画像処理装置である。
請求項１０に記載の発明は、複数枚の用紙の各々に形成された画像を読み取って画像データを生成する画像読取手段と、複数枚の用紙の読み取りが中断した後、複数枚の用紙の読み取りを再実行する場合に、中断した読み取りにおいて読み取りが完了した用紙のうち最後に読み取られた用紙について生成済みの第１画像データと、中断した読み取りにおいて読み取りが完了した用紙の枚数に対応する枚数を当該再実行における複数枚の用紙の１枚目から順番に数えたときの最後の用紙を新たに読み取って生成された第２画像データとを表示する表示手段とを備える画像処理装置である。
請求項１１に記載の発明は、コンピュータに、画像読取手段に対して用紙に形成された画像を読み取って画像データを生成させる機能と、複数枚の用紙の読み取りが中断した後、複数枚の用紙の読み取りを再実行する場合に、中断した読み取りにおいて読み取りが完了した最後の用紙について生成済みの第１画像データと、当該再実行における複数枚の用紙のうち当該最後の用紙に対応する用紙を新たに読み取って生成された第２画像データとを表示部に表示させるためのデータを出力する機能とを実現させるためのプログラムである。
【発明の効果】
【０００６】
請求項１記載の発明によれば、複数枚の用紙の読み取りが中断した後に読み取りを再実行する場合に、再実行により読み取られた用紙の画像データしか表示されない構成と比較して、中断した読み取りにおいて読み取りが完了していない用紙の読み取りが行われるか否かを把握し易くすることができる。
請求項２記載の発明によれば、複数枚の用紙の読み取りが中断した後に読み取りを再実行する場合に、中断した読み取りにおいて読み取りが完了した用紙の画像データが表示されない構成と比較して、中断した読み取りにおいて読み取りが完了した用紙を把握し易くすることができる。
請求項３記載の発明によれば、複数枚の用紙の読み取りが中断した後に読み取りを再実行する場合に、再実行により読み取られた用紙の画像データしか表示されない構成と比較して、さらに、中断した読み取りにおいて読み取りが完了していない用紙の読み取りが行われるか否かを把握し易くすることができる。
請求項４記載の発明によれば、中断した読み取りにおいて読み取りが完了した最後の用紙に引き続く用紙ではない用紙から読み取りが再開される可能性のあることを、ユーザに知らせることができる。
請求項５記載の発明によれば、差異の程度が予め定められた程度を超えることをユーザに知らせるとともに、読み取りを続行するか否かをユーザに選択させることができる。
請求項６記載の発明によれば、差異の程度が予め定められた程度を超えない場合であっても読み取りを続行するか否かの選択をユーザから受け付ける構成と比較して、差異の程度が予め定められた程度を超えない場合に読み取りを続行するためのユーザの手間が軽減される。
請求項７記載の発明によれば、差異の程度が予め定められた程度を超えない場合にも第２画像データを表示する構成と比較して、中断した読み取りにおいて読み取りが完了した最後の用紙に引き続く用紙から読み取りが再開される可能性が高い場合にも第２画像データが表示される煩わしさからユーザを解放することができる。
請求項８記載の発明によれば、複数枚の用紙の読み取りが中断した後に読み取りを再実行する場合に、再実行により読み取られた用紙の画像データしか表示されない構成と比較して、中断した読み取りにおいて読み取りが完了していない用紙の読み取りが行われるか否かを把握し易くすることができる。
請求項９記載の発明によれば、再度複数枚の用紙の読み取りを実行する場合に、搬送される全ての用紙について読み取りを行う構成と比較して、複数枚の用紙の読み取りを完了させるまでの時間が短縮される。
請求項１０記載の発明によれば、複数枚の用紙の読み取りが中断した後に読み取りを再実行する場合に、再実行により読み取られた用紙の画像データしか表示されない構成と比較して、中断した読み取りにおいて読み取りが完了していない用紙の読み取りが行われるか否かを把握し易くすることができる。
請求項１１記載の発明によれば、複数枚の用紙の読み取りが中断した後に読み取りを再実行する場合に、再実行により読み取られた用紙の画像データしか表示されない構成と比較して、中断した読み取りにおいて読み取りが完了していない用紙の読み取りが行われるか否かを把握し易くする機能を、コンピュータにより実現できる。
【図面の簡単な説明】
【０００７】
【図１】本実施の形態に係る画像処理装置のハードウェア構成例を示す図である。
【図２】実施の形態１に係る画像処理装置の機能構成例を示したブロック図である。
【図３】実施の形態１において画像の読み取り動作が中断した場合の処理手順の一例を示したフローチャートである。
【図４−１】（ａ）〜（ｃ）は、実施の形態１において画像処理装置による画像の読み取り動作が中断した場合の処理の具体例を説明するための図である。
【図４−２】（ｄ）、（ｅ）は、実施の形態１において画像処理装置による画像の読み取り動作が中断した場合の処理の具体例を説明するための図である。
【図４−３】（ｆ）、（ｇ）は、実施の形態１において画像処理装置による画像の読み取り動作が中断した場合の処理の具体例を説明するための図である。
【図５】実施の形態２に係る画像処理装置の機能構成例を示したブロック図である。
【図６】実施の形態２において画像の読み取り動作が中断した場合の処理手順の一例を示したフローチャートである。
【図７】２つの画像の差異の程度が予め定められた程度を超えると判定された場合に表示される画面の一例を示す図である。
【発明を実施するための形態】
【０００８】
以下、添付図面を参照して、本発明の実施の形態について詳細に説明する。
【０００９】
＜画像処理装置のハードウェア構成＞
まず、本実施の形態に係る画像処理装置１００のハードウェア構成について説明する。図１は、本実施の形態に係る画像処理装置１００のハードウェア構成例を示す図である。本実施の形態に係る画像処理装置１００は、例えば、画像読み取り機能（スキャン機能）、印刷機能（プリント機能）、複写機能（コピー機能）及びファクシミリ機能等の各種の画像処理機能を備えた、いわゆる複合機である。
【００１０】
図示するように、本実施の形態に係る画像処理装置１００は、制御部１１０と、ＨＤＤ（Hard Disk Drive）１２０と、操作パネル１３０と、用紙搬送部１４０と、画像読取部１５０と、画像形成部１６０と、通信インタフェース（以下、「通信Ｉ／Ｆ」と表記する）１７０と、センサ１８０とを備える。なお、これらの各部はバス１９０に接続されており、このバス１９０を介してデータの授受を行う。
【００１１】
制御手段の一例としての制御部１１０は、画像処理装置１００の各部の動作を制御する。この制御部１１０は、ＣＰＵ（Central Processing Unit）１１０ａ、ＲＡＭ（Random Access Memory）１１０ｂ、ＲＯＭ（Read Only Memory）１１０ｃにより構成される。
ＣＰＵ１１０ａは、ＲＯＭ１１０ｃ等に記憶された各種プログラムをＲＡＭ１１０ｂにロードして実行することにより、画像処理装置１００における各機能を実現する。ＲＡＭ１１０ｂは、ＣＰＵ１１０ａの作業用メモリ等として用いられるメモリ（記憶部）である。ＲＯＭ１１０ｃは、ＣＰＵ１１０ａが実行する各種プログラム等を記憶するメモリ（記憶部）である。
【００１２】
ＨＤＤ１２０は、各種データを記憶する記憶部である。ＨＤＤ１２０には、例えば、画像読取部１５０の画像読み取りによって生成された画像データや、通信Ｉ／Ｆ１７０によって外部から受信した画像データ等が記憶される。
【００１３】
表示手段、表示部の一例としての操作パネル１３０は、各種の情報を表示するとともに、ユーザからの操作を受け付ける。この操作パネル１３０は、液晶ディスプレイ等で構成された表示パネル、表示パネルの上に配置され、ユーザによりタッチされた位置を検出するタッチパネル、ユーザにより押下される物理キー等から構成される。そして、操作パネル１３０は、例えば、画像読取部１５０により生成された画像データを表示パネルに表示したり、タッチパネル及び物理キーによりユーザからの操作を受け付けたりする。
【００１４】
用紙搬送手段の一例としての用紙搬送部１４０は、例えば、自動給紙装置（ＡＤＦ：Auto Document Feeder）である。この用紙搬送部１４０は、例えば、記録材の一例としての用紙を収容する用紙収容部と、この用紙収容部の下方に設けられ、画像読取部１５０による読み取りが終了した用紙を積載する排紙積載部とを有する。そして、用紙搬送部１４０は、用紙収容部に収容されている用紙を画像読取部１５０に順次搬送する。また、用紙搬送部１４０は、画像読取部１５０に搬送された後の用紙、言い換えると、画像読取部１５０による読み取りが終了した用紙を、排紙積載部に搬送する。なお、用紙搬送部１４０には、用紙収容部の用紙を取り出して搬送する用紙搬送ロールや、フィードロールおよびリタードロールによって用紙を１枚ずつに捌く捌き機構が設けられる。
【００１５】
画像読取手段の一例としての画像読取部１５０は、用紙搬送部１４０によって順次搬送される用紙や原稿台上にセットされた用紙に形成されている画像を読み取って、読み取った画像を示す画像データを生成する。ここで、画像読取部１５０は、例えばスキャナーであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００１６】
画像形成部１６０は、用紙に画像を形成する印刷機構である。ここで、画像形成部１６０は、例えばプリンターであり、感光体に付着させたトナーを用紙に転写して像を形成する電子写真方式や、インクを用紙上に吐出して像を形成するインクジェット方式のものを用いるとよい。
【００１７】
通信Ｉ／Ｆ１７０は、不図示のネットワークを介して他の装置との間で各種データの送受信を行う通信インタフェースである。
【００１８】
カウント手段の一例としてのセンサ１８０は、画像読取部１５０による読み取りが行われる用紙を検知して、検知した用紙の枚数をカウントする。ここで、センサ１８０は、例えば、用紙搬送部１４０の用紙収容部から画像読取部１５０へ用紙が搬送される搬送路上に設けられる。そして、センサ１８０は、用紙搬送部１４０の用紙収容部から画像読取部１５０へ搬送される用紙を１枚ずつ検知して、検知した用紙の枚数をカウントする。
【００１９】
そして、この画像処理装置１００では、制御部１１０による制御の下、画像読取部１５０によってスキャン機能が実現され、画像形成部１６０によってプリンター機能が実現され、画像読取部１５０及び画像形成部１６０によってコピー機能が実現され、画像読取部１５０、画像形成部１６０及び通信Ｉ／Ｆ１７０によってファクシミリ機能が実現される。
【００２０】
［実施の形態１］
以下、本発明の実施の形態１について説明する。本実施の形態では、画像読取部１５０によって用紙の画像読み取りが開始されると、生成された画像データに基づく画像がプレビューとして操作パネル１３０に表示される。ここで、紙詰まり等の異常が発生して読み取り動作が中断した場合には、プレビュー表示も停止される。そして、ユーザが紙詰まり等の異常を解消して画像読み取りを再開する操作を行うと、画像読取部１５０による読み取りが再開される。その際、中断した読み取りにおいて読み取りが完了した最後の用紙の画像と、読み取り再開後の同一ページの画像とが並べて表示される。そして、画像の読み取りを続行するか否かの選択をユーザから受け付ける画面が表示される。
【００２１】
付言すると、並べて表示された２つの画像が異なる場合には、例えば、最初にセットされた用紙束（複数の用紙）と読み取りの再開時にセットされた用紙束とで用紙の順番が変わっていたり、用紙の向きが変わっていたりする可能性がある。また、読み取りの再開時に、最初にセットされた用紙束から何枚か用紙が抜けてセットされた可能性もある。よって、例えば、ユーザは、並べて表示された２つの画像が異なると判断する場合には、セットされた用紙束を確認するために、読み取りを続行しないことを選択すればよい。一方、並べて表示された２つの画像が同じである場合には、最初にセットされた用紙束と同じ用紙束が読み取りの再開時にもセットされた可能性が高い。よって、例えば、ユーザは、並べて表示された２つの画像が同じであると判断する場合には、読み取りを続行することを選択すればよい。
【００２２】
＜画像処理装置の機能構成＞
図２は、実施の形態１に係る画像処理装置１００の機能構成例を示したブロック図である。本実施の形態に係る画像処理装置１００は、用紙搬送制御部１０１と、画像読取制御部１０２と、表示制御部１０３と、用紙判定部１０４とを備える。
【００２３】
用紙搬送制御部１０１は、用紙搬送部１４０の動作を制御する。より具体的には、用紙搬送制御部１０１は、例えば、ユーザの操作によって画像の読み取りを指示された場合に、用紙搬送部１４０の用紙収容部に収容されている用紙を画像読取部１５０に搬送するように制御する。また、用紙搬送制御部１０１は、画像読取部１５０に搬送された後の用紙を、排紙積載部に搬送するように制御する。
【００２４】
用紙判定部１０４は、センサ１８０にてカウントされた枚数（カウント値）の情報を取得する。ここで、用紙判定部１０４は、センサ１８０から情報を取得することにより、画像読取部１５０による読み取りの動作が中断した場合に、何枚目の用紙まで読み取りが完了しており、何枚目の用紙の読み取り動作中に異常が発生して中断したかを把握する。そして、複数枚の用紙の読み取りが中断した後、複数枚の用紙の読み取りが再開された場合、用紙判定部１０４は、用紙収容部から画像読取部１５０に搬送される用紙が、中断した読み取りにおいて読み取りが完了した最後の用紙に対応する用紙であるか否かを判定する。
【００２５】
付言すると、読み取りが再開された場合、用紙収容部から画像読取部１５０に搬送される用紙のうち、中断した読み取りにおいて読み取りが完了した用紙の枚数に対応する枚数を１枚目から順番に数えたときの最後の用紙が、中断した読み取りにおいて読み取りが完了した最後の用紙に対応する用紙であると判定される。
【００２６】
例えば、複数枚の用紙のうち４枚目の用紙を読み取る際に紙詰まりが発生して読み取りの動作が中断し、その後に読み取りが再開された場合には、用紙収容部から画像読取部１５０に搬送される１〜３枚目の用紙は、中断した読み取りにおいて読み取りが完了した最後の用紙には対応しないと判定される。これらの用紙は、中断した読み取りにおいて読み取りが完了した最後の用紙に対応する用紙より前の用紙である。一方、用紙収容部から画像読取部１５０に搬送される４枚目の用紙は、中断した読み取りにおいて読み取りが完了した最後の用紙に対応する用紙であると判定される。
【００２７】
画像読取制御部１０２は、画像読取部１５０の動作を制御する。より具体的には、画像読取制御部１０２は、例えば、ユーザの操作によって画像の読み取りを指示された場合に、用紙収容部から搬送されてくる用紙に対して画像の読み取りを行うように画像読取部１５０を制御する。
【００２８】
ここで、複数枚の用紙の読み取りが中断した後、複数枚の用紙の読み取りが再開された場合、画像読取制御部１０２は、用紙収容部から画像読取部１５０に搬送される用紙が何枚目の用紙であるか否かに応じて、画像読取部１５０の動作を制御する。言い換えると、画像読取制御部１０２は、用紙判定部１０４による判定に基づいて、画像読取部１５０の動作を制御する。
【００２９】
より具体的には、複数枚の用紙の読み取りが中断した後、複数枚の用紙の読み取りが再開された場合、用紙収容部から画像読取部１５０に搬送される用紙が、中断した読み取りにおいて読み取りが完了した最後の用紙に対応する用紙より前の用紙である場合には、画像読取制御部１０２は、その用紙の読み取りを行わないように画像読取部１５０を制御する。この場合、用紙収容部から搬送された用紙に対して読み取りが行われずに、画像読取部１５０からそのまま排紙積載部に搬送される。一方、用紙収容部から画像読取部１５０に搬送される用紙が、中断した読み取りにおいて読み取りが完了した最後の用紙に対応する用紙である場合には、画像読取制御部１０２は、その用紙の読み取りを行うように画像読取部１５０を制御する。
【００３０】
例えば、複数枚の用紙のうち４枚目の用紙を読み取る際に紙詰まりが発生して読み取りの動作が中断し、その後に読み取りが再開された場合には、用紙収容部から画像読取部１５０に搬送される１〜３枚目の用紙に対しては、読み取りが行われず空送りになる。一方、用紙収容部から画像読取部１５０に搬送される４枚目の用紙に対しては、画像読取部１５０による読み取りが行われる。
【００３１】
表示手段の一例としての表示制御部１０３は、操作パネル１３０における表示を制御するための制御信号を生成し、操作パネル１３０の表示を制御する。ここで、表示制御部１０３は、例えば、画像読取部１５０により生成された画像データに基づく画像を操作パネル１３０に表示する。言い換えると、表示制御部１０３は、画像読取部１５０によって読み取られた用紙のプレビュー表示を行うように操作パネル１３０を制御する。
【００３２】
より具体的には、表示制御部１０３は、画像読取部１５０による読み取りが正常に終了したか否かを判定する。読み取りが正常に終了した場合には、画像読取部１５０の読み取りにより生成された画像データに基づく画像を操作パネル１３０に表示する。これにより、画像読取部１５０によって読み取られた用紙のプレビュー表示が行われる。
【００３３】
一方、紙詰まり等により読み取りの動作が中断した場合、表示制御部１０３は、読み取りが完了した最後の用紙に対応する画像でプレビュー表示を停止する。そして、表示制御部１０３は、異常が発生して読み取りの動作が中断したことを通知するメッセージや、異常に対する対応方法を操作パネル１３０に表示する。また、表示制御部１０３は、読み取りの動作を再開するための再開方法を操作パネル１３０に表示する。
【００３４】
さらに、読み取り中断後、複数枚の用紙の読み取りが再開された場合、表示制御部１０３は、中断した読み取りにおいて読み取りが完了した用紙の画像（即ち、中断した読み取りにおいて読み取りが完了した用紙を読み取って生成された画像データに基づく画像）を順番に表示する。言い換えると、表示制御部１０３は、中断した読み取りにおいて読み取りが完了した最初の用紙の画像から、中断した読み取りにおいて読み取りが完了した最後の用紙の画像までを順番に表示する。
【００３５】
そして、上述したように、中断した読み取りにおいて読み取りが完了した最後の用紙に対応する用紙に対して、画像読取部１５０の読み取りが行われると、表示制御部１０３は、２つの画像を並べた画面を表示する。この２つの画像は、中断した読み取りにおいて読み取りが完了した最後の用紙について生成済みの画像（第１画像データの一例）と、中断した読み取りにおいて読み取りが完了した最後の用紙に対応する用紙を新たに読み取って生成された画像（第２画像データの一例）である。なお、この画面では、読み取りを続行するか否かの選択をユーザから受け付ける。読み取りを続行する選択を受け付けた場合には、画像読取部１５０による読み取りが続行される。即ち、中断した読み取りにおいて読み取りが完了した最後の用紙に対応する用紙より後の用紙に対して、順次、読み取りが行われる。
【００３６】
そして、図２に示す画像処理装置１００を構成する各機能部は、ソフトウェアとハードウェア資源とが協働することにより実現される。具体的には、画像処理装置１００を図１に示したハードウェア構成にて実現した場合、例えば、ＲＯＭ１１０ｃに格納されているＯＳのプログラムやアプリケーション・プログラムが、ＲＡＭ１１０ｂに読み込まれてＣＰＵ１１０ａに実行されることにより、用紙搬送制御部１０１、画像読取制御部１０２、表示制御部１０３、用紙判定部１０４等の各機能部が実現される。
【００３７】
＜読み取り動作が中断した場合の処理手順＞
次に、画像処理装置１００による画像の読み取り動作が中断した場合の処理手順について説明する。図３は、実施の形態１において画像の読み取り動作が中断した場合の処理手順の一例を示したフローチャートである。
【００３８】
例えば、ユーザが用紙搬送部１４０の用紙収容部に用紙を収容し、操作パネル１３０において画像の読み取りを開始する操作を行うと、画像読取部１５０により用紙の読み取りが行われる（ステップ１０１）。より具体的には、用紙搬送制御部１０１は、用紙搬送部１４０の用紙収容部に収容されている用紙を画像読取部１５０に搬送するように制御する。また、画像読取制御部１０２は、搬送されてくる用紙に対して画像の読み取りを行うように画像読取部１５０を制御する。このような制御により、画像読取部１５０による用紙の読み取りが行われる。
【００３９】
また、表示制御部１０３は、読み取りが正常に終了したか否かを判定する（ステップ１０２）。読み取りが正常に終了した場合（ステップ１０２でＹｅｓ）、表示制御部１０３は、画像読取部１５０によって読み取られた用紙のプレビューを操作パネル１３０に表示する（ステップ１０３）。即ち、表示制御部１０３は、画像読取部１５０により生成された画像データに基づく画像を操作パネル１３０に表示する。一方、紙詰まり等により読み取りが正常に終了しなかった場合（ステップ１０２でＮｏ）、後述するステップ１０５へ移行する。
【００４０】
ステップ１０３の後、用紙搬送制御部１０１は、読み取りを行う用紙を全て搬送したか否かを判定する（ステップ１０４）。ここで、例えば、用紙搬送部１４０の用紙収容部に用紙がまだ収容されていれば、用紙搬送制御部１０１は、まだ搬送していない用紙が存在すると判定する（ステップ１０４でＮｏ）。この場合、ステップ１０１へ移行し、次の用紙が搬送され、画像読取部１５０による読み取りが行われる。
【００４１】
一方、例えば、用紙搬送部１４０の用紙収容部に用紙が収容されていなければ、用紙搬送制御部１０１は、読み取りを行う用紙を全て搬送したと判定する（ステップ１０４でＹｅｓ）。そして、本処理フローは終了する。付言すると、ステップ１０１〜ステップ１０４の処理により、用紙搬送部１４０の用紙収容部に収容されている用紙に対して、順次画像の読み取りが行われる。そして、読み取られた用紙のプレビューが１枚目の用紙から順次操作パネル１３０に表示される。
【００４２】
次に、ステップ１０２で否定の判断（Ｎｏ）がされた場合、即ち、読み取りの動作に異常が発生し、読み取り動作が中断した場合について説明する。この場合、表示制御部１０３は、読み取りが完了した最後の用紙の画像でプレビュー表示を停止する（ステップ１０５）。付言すると、表示制御部１０３は、画像読取部１５０の読み取り動作に合わせて、画像読取部１５０に読み取られた用紙に対応する画像を順次表示する。そして、読み取りの動作が中断した場合には、画像読取部１５０により読み取られた最後の用紙に対応する画像を表示したままにする。
【００４３】
次に、表示制御部１０３は、操作パネル１３０上で、読み取りの動作に異常が発生して中断したことを通知し、異常に対する対応方法を表示する（ステップ１０６）。例えば、紙詰まりが発生した場合、表示制御部１０３は、紙詰まりが発生したことを通知するメッセージや、紙詰まりに対する対応方法を示す画面を操作パネル１３０に表示する。
【００４４】
ユーザにより異常に対する対応が行われると、表示制御部１０３は、読み取りの動作を再開するための再開方法を操作パネル１３０に表示する（ステップ１０７）。ここで、表示制御部１０３は、例えば、用紙収容部に収容した用紙束を再度収容し、操作パネル１３０にて画像の読み取りを再開する操作を行うように促すメッセージを表示する。
【００４５】
ユーザにより再開方法の処理が行われると、画像読取部１５０による読み取りが再開される。ここで、用紙搬送制御部１０１は、用紙搬送部１４０の用紙収容部に収容されている用紙を画像読取部１５０に搬送するように制御する（ステップ１０８）。また、用紙判定部１０４は、センサ１８０から取得した情報を基に、用紙収容部から画像読取部１５０に搬送される用紙が、中断した読み取りにおいて読み取りが完了した最後の用紙に対応する用紙であるか否かを判定する（ステップ１０９）。
【００４６】
ステップ１０９で否定の判断（Ｎｏ）がされた場合、画像読取制御部１０２は、搬送されてくる用紙に対して画像の読み取りを行なわないように画像読取部１５０を制御する（ステップ１１０）。即ち、ステップ１０９で否定の判断（Ｎｏ）がされた場合には、用紙の空送りが行われる。この場合、用紙収容部から搬送された用紙に対して読み取りが行われずに、画像読取部１５０からそのまま排紙積載部に搬送される。そして、ステップ１０８へ移行し、次の用紙が用紙収容部から画像読取部１５０へ搬送される。
【００４７】
一方、ステップ１０９で肯定の判断（Ｙｅｓ）がされた場合、画像読取制御部１０２は、搬送されてくる用紙に対して画像の読み取りを行うように画像読取部１５０を制御する（ステップ１１１）。この制御により、画像読取部１５０は、中断した読み取りにおいて読み取りが完了した最後の用紙に対応する用紙に対して、読み取りを行うこととなる。
【００４８】
次に、表示制御部１０３は、２つの画像を並べて表示する（ステップ１１２）。この２つの画像は、中断した読み取りにおいて読み取りが完了した最後の用紙について生成済みの画像と、ステップ１１１の制御により新たに用紙を読み取って生成された画像である。ここで、表示制御部１０３は、２つの画像を並べるとともに、読み取りを続行するか否かの選択を受け付ける画面を表示する。そして、表示制御部１０３は、画面上で読み取りを続行する選択を受け付けたか否かを判定する（ステップ１１３）。
【００４９】
ステップ１１３で肯定の判断（Ｙｅｓ）がされた場合、読み取りが続行される。この場合、ステップ１０１に移行し、用紙搬送制御部１０１は、用紙収容部に収容されている用紙を画像読取部１５０に搬送するように用紙搬送部１４０を制御し、画像読取制御部１０２は、搬送されてくる用紙に対して画像の読み取りを行うように画像読取部１５０を制御する。
【００５０】
一方、ステップ１１３で否定の判断（Ｎｏ）がされた場合、表示制御部１０３は、読み取りの続行に向けた対応方法を表示する（ステップ１１４）。例えば、表示制御部１０３は、再開時にセットされた用紙束（即ち、ステップ１０７の再開方法により用紙収容部に収容された用紙束）が、中断した読み取りにおいてセットされていた用紙束と同じであるかを確認するように促すメッセージを表示する。また、例えば、表示制御部１０３は、用紙束を確認した上で用紙収容部に再度収容し、操作パネル１３０にて読み取りを再開する操作を行うように促すメッセージを表示する。ユーザにより読み取りを再開する操作が行われると、画像読取部１５０による読み取りが再開され、ステップ１０８へ移行する。
【００５１】
なお、上述した例では、ステップ１１４の後、ステップ１０８へ移行することとしたが、このような構成に限られない。例えば、ユーザが読み取りを再開する操作を行うと、ステップ１０１へ移行し、画像読取部１５０が新たに１枚目の用紙から順次読み取りを行って、画像データを生成することとしてもよい。
【００５２】
＜読み取り動作が中断した場合の処理の具体例＞
次に、画像処理装置１００による画像の読み取り動作が中断した場合の処理について、具体例を挙げて説明する。図４―１〜図４−３は、実施の形態１において画像処理装置１００による画像の読み取り動作が中断した場合の処理の具体例を説明するための図である。
【００５３】
まず、ユーザが用紙搬送部１４０の用紙収容部に用紙を収容し、操作パネル１３０において画像の読み取りを開始する操作を行うと、用紙収容部から順次用紙が搬送され、画像読取部１５０による用紙の読み取りが開始される。そして、操作パネル１３０には、画像読取部１５０により読み取られた用紙について生成された画像データに基づく画像が表示される。
【００５４】
図４−１（ａ）、（ｂ）は、読み取り動作中に表示される画面の一例を示す図である。画像読取部１５０が用紙の読み取りを行うと、読み取りにより生成された画像データに基づく画像（読み取られた用紙に対応する画像）が順次表示される。図４−１（ａ）では、１枚目の用紙及び２枚目の用紙が読み取られた場合の例を示している。画像１１は画像読取部１５０に読み取られた１枚目の用紙に対応する画像である。また、画像１２は画像読取部１５０に読み取られた２枚目の用紙に対応する画像である。
【００５５】
さらに、画像読取部１５０に３枚目の用紙が読み取られると、図４−１（ｂ）に示すように、３枚目の用紙に対応する画像１３がさらに表示される。このように、画像読取部１５０による読み取り動作に合わせて、読み取られた用紙に対応する画像が図中右から左に流れるように順次表示される。なお、センサ１８０は、用紙搬送部１４０の用紙収容部から画像読取部１５０へ搬送される用紙を１枚ずつ検知して、検知した用紙の枚数をカウントする。
【００５６】
ここで、紙詰まり等により読み取りの動作に異常が発生し、読み取り動作が中断すると、用紙のプレビュー表示が停止する。図４−１（ｃ）は、読み取り動作が中断した場合に表示される画面の一例を示す図である。図４−１（ｃ）では、画像読取部１５０が４枚目の用紙を読み取る際に紙詰まりが発生した場合の例を示している。ここで、画像読取部１５０にて読み取りが完了した最後の用紙は３枚目の用紙である。そのため、３枚目の用紙に対応する画像が表示された状態でプレビュー表示が停止する。また、紙詰まりが発生したことを通知するメッセージの画像１４が表示される。
【００５７】
なお、用紙判定部１０４は、センサ１８０がカウントした用紙の枚数の情報を取得することにより、３枚目の用紙まで読み取りが完了し、４枚目の用紙の読み取りの動作中に異常が発生して読み取りが中断したことを把握する。
【００５８】
次に、操作パネル１３０には、異常に対する対応方法が表示される。図４−２（ｄ）は、紙詰まりに対する対応方法を示す画面の一例を示す図である。図４−２（ｄ）に示す画像１５は、紙詰まりの発生箇所が画像処理装置１００内の「エリア１」であること、紙詰まりを解消するための対応手順として、「右カバーを開けて詰まっている用紙を取り除いてください」というメッセージを示している。
【００５９】
ユーザにより紙詰まりに対する対応が行われると、読み取りの動作を再開するための再開方法が表示される。図４−２（ｅ）は、読み取りの動作を再開するための再開方法を示す画面の一例を示す図である。図４−２（ｅ）に示す画像１６は、読み取りの動作を再開する再開方法として、「１枚目の用紙から再度収容して、再開ボタンを押してください」というメッセージを示している。このメッセージは、中断した読み取りにおいて収容した用紙束を、読み取りが完了した用紙も含めて１枚目から再度収容して、読み取りを再開する操作を行うことを促すものである。
【００６０】
ユーザにより再開方法の処理が行われると、画像読取部１５０による読み取りが再開される。この例では、読み取りの動作中に異常が発生したのは４枚目の用紙であり、画像読取部１５０にて読み取りが完了した最後の用紙は３枚目の用紙である。そのため、読み取り再開後、１枚目の用紙、２枚目の用紙については読み取りが行われずに、空送りになる。
【００６１】
さらに説明すると、ここで、用紙判定部１０４は、センサ１８０から取得した情報を基に、用紙収容部から画像読取部１５０に搬送される用紙が、中断した読み取りにおいて読み取りが完了した最後の用紙に対応する用紙であるか否かを判定する。そして、用紙判定部１０４は、用紙収容部から画像読取部１５０に搬送される用紙のうち、１枚目の用紙、２枚目の用紙については、中断した読み取りにおいて読み取りが完了した最後の用紙に対応しないと判定する。そして、画像読取制御部１０２は、１枚目の用紙、２枚目の用紙に対しては画像の読み取りを行わないように画像読取部１５０を制御する。
【００６２】
また、用紙収容部から画像読取部１５０に対して３枚目の用紙が搬送されると、用紙判定部１０４は、中断した読み取りにおいて読み取りが完了した最後の用紙に対応する用紙であると判定する。そして、画像読取制御部１０２は、３枚目の用紙に対しては画像の読み取りを行うように画像読取部１５０を制御する。
【００６３】
図４−３（ｆ）、図４−３（ｇ）は、読み取り動作の再開後に表示される画面の一例を示す図である。読み取り動作の再開後には、既に画像読取部１５０にて読み取り済みの用紙に対応する画像が順次表示される。言い換えると、中断した読み取りにおいて生成された画像データに基づく画像が順次表示される。図４−３（ｆ）に示す例では、１枚目の用紙に対応する画像１１、２枚目の用紙に対応する画像１２、３枚目の用紙に対応する画像１３が表示される。この画像１１〜１３は、図４−１（ｂ）に示す画像１１〜１３と同じものである。このように、用紙収容部から搬送される用紙に合わせて、各画像が図中右から左に流れるように順次表示される。これらの画像は、例えば、用紙を空送りしている様子を表すように、高速に早送りをするように図中右から左に向けて流れるように表示される。
【００６４】
付言すると、操作パネル１３０には、用紙収容部から搬送される用紙に合わせて、各画像が順次表示される。そして、中断した読み取りにおいて読み取りが完了した最後の用紙に対応する用紙（この例では、３枚目の用紙）に到達すると、プレビュー表示が停止される。ここでは、例えば、３枚目の用紙に対応する画像が図中右から左に流れるように表示され、操作パネル１３０の画面中央までくると、プレビュー表示が停止する。
【００６５】
次に、操作パネル１３０には、中断した読み取りにおいて読み取りが完了した最後の用紙について生成済みの画像と、読み取り再開後に新たに読み取られた用紙に対応する画像とが並べて表示される。図４−３（ｇ）に示す例では、中断した読み取りにおいて読み取りが完了した最後の用紙について生成済みの画像として、画像１３が表示されている。この画像１３は、図４−１（ｂ）に示す画像１３と同じものである。また、新たに読み取られた用紙に対応する画像として、画像１７が表示されている。この画像１７は、読み取り再開後に搬送される３枚目の用紙を読み取って生成された画像である。
【００６６】
ここで、ユーザが読み取りを続行する選択を行うと（即ち、「ＯＫ」のボタン１８を選択すると）、読み取りが続行される。この場合、引き続き４枚目の用紙から順次画像の読み取りが行われる。一方、ユーザが読み取りを続行しない選択を行うと（即ち、「ＮＧ」のボタン１９を選択すると）、読み取りの続行に向けた対応方法が表示される。そして、例えば、ユーザが用紙収容部に用紙束を再度収容して読み取りを再開する操作を行うと、画像読取部１５０による読み取りが再開される。この場合には、上述したように、例えば、１枚目の用紙、２枚目の用紙が空送りされ、３枚目の用紙について読み取りが行わると、図４−３（ｇ）に示すように、２つの画像が表示される。
【００６７】
以上説明したように、本実施の形態において、画像処理装置１００は、複数枚の用紙の読み取りが中断した後、複数枚の用紙の読み取りが再開された場合、中断した読み取りにおいて読み取りが完了した最後の用紙について生成済みの画像と、その最後の用紙に対応する用紙を新たに読み取って生成された画像とを表示する。そして、読み取りを続行するか否かの選択を受け付ける。そのため、ユーザは、画面を確認して読み取りを続行するか否かを選択すればよい。
【００６８】
［実施の形態２］
次に、本発明の実施の形態２について説明する。実施の形態１では、画像処理装置１００が２つの画像を表示し、ユーザにより読み取りを続行するか否かが選択された。一方、実施の形態２において、画像処理装置１００は、２つの画像を表示する前に、２つの画像を比較して、両者の差異の程度が予め定められた程度を超えるか否かを判定する。そして、両者の差異の程度が予め定められた程度以下と判定された場合には、そのまま読み取りが続行される。一方、両者の差異の程度が予め定められた程度を超えると判定された場合には、実施の形態１と同様に、画像処理装置１００は、２つの画像を並べるとともに、読み取りを続行するか否かの選択を受け付ける画面を表示する。なお、本実施の形態において、実施の形態１と同様のものについては、同じ符号を付してその詳細な説明を省略する。
【００６９】
＜画像処理装置の機能構成＞
図５は、実施の形態２に係る画像処理装置１００の機能構成例を示したブロック図である。本実施の形態に係る画像処理装置１００は、新たに画像比較部１０５を備える点で、実施の形態１と異なる。
【００７０】
画像比較部１０５は、画像読取部１５０による読み取りの動作が中断した後、読み取りが再開された場合、中断した読み取りにおいて読み取りが完了した最後の用紙について生成済みの画像と、中断した読み取りにおいて読み取りが完了した最後の用紙に対応する用紙を新たに読み取って生成された画像とを比較する。そして、画像比較部１０５は、２つの画像の差異の程度が予め定められた程度を超えるか否かを判定する。
【００７１】
２つの画像の差異の程度が予め定められた程度以下と判定された場合、画像の読み取りが続行される。即ち、中断した読み取りにおいて読み取りが完了した最後の用紙に対応する用紙より後の用紙に対して、順次、読み取りが行われる。一方、２つの画像の差異の程度が予め定められた程度を超えると判定された場合、表示制御部１０３は、２つの画像を並べた画面を表示する。なお、この画面では、２つの画像の差異の程度が予め定められた程度以上である旨を示すとともに、読み取りを続行するか否かの選択をユーザから受け付ける。
【００７２】
なお、２つの画像の差異の程度が予め定められた程度以下と判定された場合、表示制御部１０３は、中断した読み取りにおいて読み取りが完了した最後の用紙に対応する用紙を新たに読み取って生成された画像を表示しない。ただし、２つの画像の差異の程度が予め定められた程度を超えないことをユーザに知らせるために、表示制御部１０３は、用紙を新たに読み取って生成された画像を表示したり、２つの画像を並べて表示したりしてもよい。
【００７３】
また、画像比較部１０５による画像の比較は従来の手法により行われる。例えば、画像比較部１０５は、２つの画像において同じ位置（座標）に存在する画素の画素値を比較する。そして、画像比較部１０５は、画像内の全画素のうち、画素値が一致する画素（又は、画素値の差が一定の範囲内にある画素）の割合が予め定められた割合以上の場合、２つの画像の差異の程度が予め定められた程度以下と判定する。
【００７４】
＜読み取り動作が中断した場合の処理手順＞
次に、画像処理装置１００による画像の読み取り動作が中断した場合の処理手順について説明する。図６は、実施の形態２において画像の読み取り動作が中断した場合の処理手順の一例を示したフローチャートである。
【００７５】
例えば、ユーザが用紙搬送部１４０の用紙収容部に用紙を収容し、操作パネル１３０において画像の読み取りを開始する操作を行うと、画像読取部１５０により用紙の読み取りが行われる。ここで、ステップ２０１〜ステップ２１１の処理は、ステップ１０１〜ステップ１１１の処理と同じであるため、ここでは説明を省略する。
【００７６】
ステップ２１１の後、即ち、中断した読み取りにおいて読み取りが完了した最後の用紙に対応する用紙に対して、画像読取部１５０が読み取りを行った後、画像比較部１０５は、２つの画像を比較する（ステップ２１２）。ここで、画像比較部１０５は、中断した読み取りにおいて読み取りが完了した最後の用紙について生成済みの画像と、ステップ２１１の制御により新たに用紙を読み取って生成された画像とを比較する。次に、画像比較部１０５は、２つの画像の差異の程度が予め定められた程度を超えるか否かを判定する（ステップ２１３）。
【００７７】
ステップ２１３で否定の判断（Ｎｏ）がされた場合、即ち、差異の程度が予め定められた程度以下と判定された場合、読み取りが続行される。この場合、ステップ２０１に移行し、用紙搬送制御部１０１は、用紙収容部に収容されている用紙を画像読取部１５０に搬送するように用紙搬送部１４０を制御し、画像読取制御部１０２は、搬送されてくる用紙に対して画像の読み取りを行うように画像読取部１５０を制御する。
【００７８】
一方、ステップ２１３で肯定の判断（Ｙｅｓ）がされた場合、即ち、差異の程度が予め定められた程度を超えると判定された場合、表示制御部１０３は、２つの画像を並べて表示する（ステップ２１４）。ステップ２１４〜ステップ２１６の処理はそれぞれ、ステップ１１２〜ステップ１１４の処理と同じであるため、ここでは説明を省略する。
【００７９】
＜画面の表示例＞
次に、画像比較部１０５の比較により、２つの画像の差異の程度が予め定められた程度を超えると判定された場合に表示される画面について、具体例を挙げて説明する。図７は、２つの画像の差異の程度が予め定められた程度を超えると判定された場合に表示される画面の一例を示す図である。ここでは、４枚目の用紙を読み取る際に紙詰まりが発生して読み取りの動作が中断し、その後に画像読み取りが再開されたものとして説明する。
【００８０】
図７に示す画像２１は、中断した読み取りにおいて読み取りが完了した最後の用紙について生成済みの画像である。即ち、画像２１は、中断した読み取りにおいて３枚目の用紙を読み取って生成された画像である。また、画像２２は、読み取り再開後に新たに読み取られた用紙に対応する画像である。即ち、画像２２は、読み取り再開後に搬送される３枚目の用紙を読み取って生成された画像である。そして、画像比較部１０５の比較により両者の差異の程度が予め定められた程度を超えると判定されており、「再開後の読取画像が一致しません。ご確認ください。」というメッセージが表示されている。
【００８１】
ここで、ユーザが読み取りを続行する選択を行うと（即ち、「ＯＫ」のボタン２３を選択すると）、読み取りが続行される。この場合、引き続き４枚目の用紙から順次画像の読み取りが行われる。一方、ユーザが読み取りを続行しない選択を行うと（即ち、「ＮＧ」のボタン２４を選択すると）、読み取りの続行に向けた対応方法が表示される。
【００８２】
以上説明したように、本実施の形態において、画像処理装置１００は、複数枚の用紙の読み取りが中断した後、複数枚の用紙の読み取りが再開された場合、中断した読み取りにおいて読み取りが完了した最後の用紙について生成済みの画像と、その最後の用紙に対応する用紙を新たに読み取って生成された画像とを比較する。そして、比較した結果、２つの画像の差異の程度が予め定められた程度以下の場合には、ユーザの操作を受け付けずに自動的に画像の読み取りを続行する。そのため、例えば、差異の程度が予め定められた程度を超えない場合であっても読み取りを続行するか否かの選択をユーザから受け付ける構成と比較して、差異の程度が予め定められた程度を超えない場合に読み取りを続行するためのユーザの手間が軽減される。また、差異の程度が予め定められた程度を超える場合には、２つの画像を表示し、読み取りを続行するか否かの選択がユーザによって行われる。
【００８３】
また、実施の形態２において、画像比較部１０５は、２つの画像の差異の程度が予め定められた程度を超えると判定した場合に、中断した読み取りにおいて読み取りを完了した用紙の中に、読み取り再開後に新たに読み取った用紙に対応するものがないか探索することとしてもよい。言い換えると、画像比較部１０５は、中断した読み取りにおいて読み取りを完了した用紙の画像の中に、読み取り再開後に新たに読み取った用紙の画像との差異の程度が予め定められた程度以下になる画像がないかを探索してもよい。
【００８４】
ここで、画像比較部１０５は、画像を回転させたり画像の向きを変えたりして、探索を行ってもよい。そして、読み取り再開後に新たに読み取った用紙の画像との差異の程度が予め定められた程度以下になる画像が見つかった場合には、例えば、表示制御部１０３は、読み取り再開後に新たに読み取った用紙の画像と新たに見つけた画像とを並べて表示するとともに、再開時にセットされた用紙の順番や向きが変わってないかを確認するように促すメッセージを表示してもよい。
【００８５】
また、実施の形態１及び実施の形態２において、読み取りの中断後に読み取りが再開された場合、中断した読み取りにおいて読み取りが完了した最後の用紙に対応する用紙より前の用紙については、画像の読み取りを行わないこととしたが、画像の読み取りを行うこととしてもよい。即ち、画像読取部１５０は、中断した読み取りにおいて読み取りが完了した最後の用紙に対応する用紙より前の用紙についても、画像の読み取りを行うこととしてもよい。この場合、プレビュー表示には、例えば、読み取り再開後に搬送される用紙を読み取って生成された画像が表示される。
【００８６】
ここで、画像比較部１０５は、中断した読み取りにおいて読み取りが完了した用紙の画像と、読み取り再開後に新たに読み取った用紙の画像とを、用紙毎に比較してもよい。そして、比較の結果、例えば、中断した読み取りにおいて読み取りが完了した用紙の画像と読み取り再開後に新たに読み取った用紙の画像とで順番が変わっている場合、画像比較部１０５は、読み取り再開後に新たに読み取った用紙の画像の順番を、中断した読み取りにおいて読み取りが完了した用紙の画像の順番に合わせて並べ替えることとしてもよい。
また、画像比較部１０５は、画像を回転させたり画像の向きを変えたりして、画像の比較を行ってもよい。
【００８７】
また、本発明の実施の形態を実現するプログラムは、通信手段により提供することはもちろん、ＣＤ−ＲＯＭ等の記録媒体に格納して提供することも可能である。
【００８８】
なお、上記では種々の実施形態および変形例を説明したが、これらの実施形態や変形例どうしを組み合わせて構成してももちろんよい。
また、本開示は上記の実施形態に何ら限定されるものではなく、本開示の要旨を逸脱しない範囲で種々の形態で実施することができる。
【符号の説明】
【００８９】
１００…画像処理装置、１０１…用紙搬送制御部、１０２…画像読取制御部、１０３…表示制御部、１０４…用紙判定部、１０５…画像比較部、１３０…操作パネル、１４０…用紙搬送部、１５０…画像読取部、１８０…センサ
【図１】
2018182596.tif 000003
【図２】
2018182596.tif 000004
【図３】
2018182596.tif 000005
【図４−１】
2018182596.tif 000006
【図４−２】
2018182596.tif 000007
【図４−３】
2018182596.tif 000008
【図５】
2018182596.tif 000009
【図６】
2018182596.tif 000010
【図７】
2018182596.tif 000011